(57)【要約】【課題】  高い視認性の確保と雑虫の侵入を防ぎながら通気も可能で、さらにメンテナンスも容易に行え、しかも、高いインテリア性をもつ昆虫飼育用容器を提供する。【解決手段】  プラスチック製の底部トレーＴとプラスチック製の透明ドームＤとからなる昆虫飼育用容器において、透明ドームＤを、無孔の弾性を有する容器状に形成し、底部トレーＴを、底板７、上側壁８、下側壁９、水平壁１０とから形成し、上側壁の外周面８ａに隙間取り用縦リブ１１を複数設けるとともに、水平壁の上面１０ａに隙間取り用水平リブ１２を複数設け、透明ドームＤと底部トレーＴに組み立てたとき、透明ドームＤの内周面１ａと上側壁の外周面８ａとの間及び透明ドームＤの開口端面４と水平壁１０の上面１０ａとの間に、通気を確保するとともに、コバエ等の雑虫の侵入を防止する大きさの隙間１３，１４を形成した。【選択図】  図２
2007053901.tif 000002
【特許請求の範囲】
【請求項１】
プラスチック製の底部トレーと、一端が開口したプラスチック製の透明ドームとからなり、前記底部トレーと前記透明ドームとを着脱自在に組み立てるようにした昆虫飼育用容器において、前記透明ドームは、無孔の弾性を有する容器状に形成され、前記底部トレーは、底板と該底板の外周に形成した側壁とからなり、該側壁は、前記透明ドームの開口側内周面よりわずかに小さい径の上側壁と、該上側壁より径の大きい下側壁と、前記上側壁と前記下側壁との間に形成される段部とを有し、前記上側壁の外周面又は前記透明ドームの開口側の内周面に隙間取り用縦リブを間隔おいて複数設けるとともに、前記段部の上面又は前記透明ドームの開口端面に隙間取り用水平リブを間隔を置いて複数設け、前記透明ドームの開口側内面と前記上側壁を係合したとき、前記透明ドームの開口側内周面と前記上側壁の外周面との間及び前記透明ドームの開口端面と前記段部の上面との間に通気を確保するとともに、コバエ等の雑虫の侵入を防止する大きさの隙間が形成されるようにしたことを特徴とする昆虫飼育用容器。
【請求項２】
前記段部を、前記上側壁の下端と前記下側壁の上端を連接する水平又はほぼ水平に延びる水平壁から形成し、前記容器状のドームの開口端面に複数の係合爪を間隔を置いて設けるとともに、前記水平壁に前記係合爪に対応して前記係合爪が貫通する複数の係合孔を穿設し、前記各係合爪の先端に、前記水平壁の下面あるいは下側壁の内周面に形成した係合部に係合する鉤部を形成した請求項１に記載の昆虫飼育用容器。
【請求項３】
前記下側壁を前記底部トレーの底板より下方に突出するように延在させて、底板と下側壁によって収納凹部を形成するとともに、前記透明ドームの頂部を前記収納凹部の径より小さく形成し、かつ、前記収納凹部に、前記透明ドームの頂部側を受け入れる積み重ね用リブを放射状に間隔をおいて複数設けた請求項１又は２に記載の昆虫飼育用容器。
【請求項４】
前記底部トレーの底板に木や造花等のレイアウト備品材を固定する締結手段止め用の肉薄部を複数設けた請求項１〜３のいずれかに記載の昆虫飼用容器。
【請求項５】
透明ドームの頂部を下にして載置したとき、前記透明ドームが自立できるように前記透明ドームの頂部をほぼ平坦な形状に構成し、前記透明ドームを自立して用いるとき、透明ドームの内部に昆虫飼育マット及び／又は菌床を詰めるようにした請求項1〜４のいずれかに記載の昆虫飼育用容器。
【発明の詳細な説明】
【技術分野】
【０００１】
本発明は、昆虫の成虫や幼虫を飼育する昆虫飼育用容器に関し、特に、その成虫や幼虫の形態を観察、観賞できる観賞用容器も兼ねる昆虫飼育用容器に関する。
【背景技術】
【０００２】
昆虫飼育は、すでに一般化しており、その飼育方法も多種多様化している。昆虫飼育用容器としては、観賞魚用飼育水槽を転用したり、上部が網目のプラスチックケースや虫籠等が用いられるのが一般的である。また、これら容器内には、昆虫用のぼり木や昆虫の餌台となる皿木や昆虫の産卵用の朽木等の昆虫飼育木、園芸用水ゴケ、あるいは、昆虫飼育マットが収納されている。
【０００３】
昆虫飼育用容器の一例として、図８に示す昆虫育成容器がある。この昆虫育成容器は、植物育成槽１０３と、植物育成槽１０３の上に着脱自在に、あるいは、固定的に載置される円筒状または長方形の透明壁部分１０２と、透明壁部分１０２の上に被さる上蓋１０１とを備えている。植物物育成槽１０３の底部には、植物物育成槽１０１に溜まる水を排出するための水抜き穴１０６を多数穿設することができる。透明壁部分１０２は、前後左右の仕切りをそれぞれ取り外しできるように構成することができる。また、透明壁部分１０２には、透明壁部分１０２内に装入されるレイアウトの備品を固定するためのボルトやネジを挿入する挿入孔１０５が複数穿設されている。上蓋１０１は、通気性を考慮して、小さな空気穴１０４を多数穿設した構造、あるいは、網状の構造とされている。
【０００４】
図８に示した昆虫用育成容器によれば、植物育成槽１０３に水抜き穴１０６を設けたものでは、植物育成槽１０３内の水が腐敗することがないので、容器内にレイアウトとして収納した普通の植物、すなわち湿地帯植物や半湿地帯植物以外の植物が長期間死滅することなく、健康に育成することができる。また、透明壁部分１０２を左右前後に取り外せる壁から構成したり、あるいは、透明壁部分１０２を植物育成層１０３に着脱自在に載置するようにすれば、レイアウト製作とその後の手入れが容易になる。図８に関連する先行技術文献として、後掲する特許文献１がある。
【０００５】
昆虫飼育用容器に関する先行技術文献として、次の特許文献１がある。
【特許文献１】特開２００２−３３０６６７号公報
【発明の開示】
【発明が解決しようとする課題】
【０００６】
前述した上部が通気用網目のプラスチックケースのものは、プラスチックケースを構成する前後左右の透明壁を支えるフレームによって、ケース内部の視認性が妨げられ、また、前記プラスチックケースや図８に示すものは、通気用の網目や通気孔を有する蓋によって、上方や斜め上部からの視認性が妨げられ、いずれもケース内の昆虫の観察・観賞がしにくいものである。
【０００７】
また、図８に示すように、透明壁にレイアウトの備品を固定するためのボルトやネジを挿入する挿入孔を設けたものでは、挿入孔にボルトやネジを挿入したとき、ケース内部の視認性がボルトやネジによって妨げられ、また、挿入孔にボルトやネジを挿入しないで使用する場合には、挿入孔からコバエ等の雑虫が侵入し、インテリア製品としての美観を損ねたり、不衛生になったり、また、昆虫に悪い影響を及ぼすことがある。コバエ等の雑虫の侵入を避けようとすると、挿入孔を塞がなければならず、ケース内の視認性が妨げられるとともに、挿入孔を塞ぐ手間がかかる。
【０００８】
さらに、前述したプラスチックケースや図８に示すものは、透明壁の清掃時に、ケース内のレイアウト備品等の中身をすべてケース外に取り出したり、透明壁に取り付けたレイアウト備品を取り外したりしなければならず、メンテナンスが煩雑である。
【０００９】
本発明の課題は、高い視認性の確保と雑虫の侵入を防ぎながら通気も可能で、さらにメンテナンスも容易に行え、しかも、高いインテリア性をもつ昆虫飼育用容器を提供することにある。
【課題を解決するための手段】
【００１０】
本発明の課題を解決するための手段は、特許請求の範囲の請求項１（以下、「請求項１」などという）のように、プラスチック製の底部トレーと、一端が開口したプラスチック製の透明ドームとからなり、前記底部トレーと前記透明ドームとを着脱自在に組み立てるようにした昆虫飼育用容器において、前記透明ドームは、無孔の弾性を有する容器状に形成され、前記底部トレーは、底板と該底板の外周に形成した側壁とからなり、該側壁は、前記透明ドームの開口側内周面よりわずかに小さい径の上側壁と、該上側壁より径の大きい下側壁と、前記上側壁と前記下側壁との間に形成される段部とを有し、前記上側壁の外周面又は前記透明ドームの開口側の内周面に隙間取り用縦リブを間隔おいて複数設けるとともに、前記段部の上面又は前記透明ドームの開口端面に隙間取り用水平リブを間隔を置いて複数設け、前記透明ドームの開口側内面と前記上側壁を係合したとき、前記透明ドームの開口側内周面と前記上側壁の外周面との間及び前記透明ドームの開口端面と前記段部の上面との間に通気を確保するとともに、コバエ等の雑虫の侵入を防止する大きさの隙間が形成されるようにした手段を採用したことにある。
【００１１】
この解決手段によれば、レイアウト備品や昆虫を底部トレーの底板の上にのせた後、透明ドームの開口側を底部トレーの上側壁に被せ、該開口側が隙間取り用水平リブに当接するまで押し込む。透明ドームの弾性によって、透明ドームの内周面と上側壁に設けた隙間取り用縦リブとが摩擦係合し、透明ドームと底部トレーとが組み立てられる。透明ドームの開口側を底部トレーの上側壁に係合すると隙間取り用縦リブによって、透明ドームの開口側内周面と底部トレーの上側壁の外周面との間及び隙間取り用水平リブによって、透明ドームの開口端面と底部トレーの段部の上面との間に、それぞれ互いに連通する隙間ができ、透明ドームの内部は、外気と連通するようになる。この隙間は、コバエ等の雑虫が侵入できない間隙とされており、しかも、透明ドームは無孔の容器状とされているので、昆虫飼育用容器に雑虫等が侵入したり、昆虫が脱走するというようなことがない。
【００１２】
また、前記課題を解決するため、請求項２のように、請求項１の昆虫飼育用容器において、前記段部を、前記上側壁の下端と前記下側壁の上端を連接する水平又はほぼ水平に延びる水平壁から形成し、前記容器状のドームの開口端面に複数の係合爪を間隔を置いて設けるとともに、前記水平壁に前記係合爪に対応して前記係合爪が貫通する複数の係合孔を穿設し、前記各係合爪の先端に、前記水平壁の下面あるいは下側壁の内周面に形成した係合部に係合する鉤部を形成した構成とするとよい。
【００１３】
請求項２のような構成によれば、透明ドームの開口側を底部トレーの上側壁に係合するとき、透明ドームに設けた係合爪が、底部トレーの水平壁に穿設した係合孔を貫通し、係合爪の先端に形成した鉤部が、透明ドームの弾性により、水平壁の下面あるいは下側壁の内周面に形成した係合部に係合する。この係合により、透明ドームと底部トレーとが不用意に外れることがない。透明ドームを底部トレーから取り外すときは、透明ドームの弾性を利用して、係合爪が位置する透明ドームの相対向する側壁を押圧しながらから引き抜いて、鉤部と係合部の係合を解除する。この係合を解除すれば、容易に透明ドームを底部トレーから取り外せる。
【００１４】
前記課題を解決するために、請求項３のように、請求項１又は２の昆虫飼育用容器において、前記下側壁を前記底部トレーの底板より下方に突出するように延在させて、底板と下側壁によって収納凹部を形成するとともに、前記透明ドームの頂部を前記収納凹部の径より小さく形成し、かつ、前記収納凹部に、前記透明ドームの頂部側を受け入れる積み重ね用リブを放射状に間隔をおいて複数設けるようにするとよい。
【００１５】
請求項３のような構成によれば、複数の昆虫飼育用容器を上下に積み重ねるときは、透明ドームの頂部側を底部トレーの収納凹部に設けた複数の積み重ね用リブに受け入れて、下段の昆虫飼育用容器の上に上段の昆虫飼育用容器を順次載置する。
【００１６】
前記課題を解決するために、請求項４のように、請求項１〜３のいずれかの昆虫飼育用容器において、前記底部トレーの底板に木や造花等のレイアウト備品材を固定する締結手段止め用の肉薄部を複数設けるようにするとよい。
【００１７】
請求項４のような構成によれば、昆虫飼育用容器内に木や造花等のレイアウト備品を収納するときは、底板に設けた複数の肉薄部のうち、レイアウト備品に必要な肉薄部のみを破って孔を開け、この孔を利用して、レイアウト備品を締結手段によって固定する。
【００１８】
前記課題を解決するために、請求項５のように、請求項１〜４のいずれかの昆虫飼育用容器において、透明ドームの頂部を下にして載置したとき、前記透明ドームが自立できるように前記透明ドームの頂部をほぼ平坦な形状に構成し、前記透明ドームを自立して用いるとき、透明ドームの内部に昆虫飼育マット及び／又は菌床を詰めるようにした構成とするとよい。
【００１９】
請求項５のような構成によれば、昆虫飼育用容器を幼虫飼育用に使用するときは、透明ドームが下になるよう倒立させ、この透明ドームの中に昆虫飼育マットや菌床を詰めて昆虫の幼虫飼育専用の容器として使用する。このように使用しても、透明ドームと底部トレーとの間には、前述したような隙間が形成されるので、透明ドーム内の通気性を確保し、害虫の侵入を防止できる。
【発明の効果】
【００２０】
請求項１の発明によれば、透明ドームを、無孔の弾性を有する容器状に形成し、底部トレーを底板の外周に形成した側壁とから形成し、該側壁を、透明ドームの開口側内周面よりわずかに小さい径の上側壁と、該上側壁より径の大きな下側壁と、上側壁とした側壁との間に形成される段部とから形成し、上側壁の外周面又は透明ドームの開口側の内周面に隙間取り用縦リブを間隔おいて複数設けるとともに、段部の上面又記透明ドームの開口端面に隙間取り用水平リブを間隔を置いて複数設け、透明ドームを底部トレーに係合したとき、透明ドームの内面と上側壁の外面との間及び透明ドームの開口端面と段部の上面との間に通気を確保するとともに、コバエ等の雑虫の侵入を防止する大きさの隙間が形成されるようにしたので、簡単な構成で昆虫飼育用容器内の通気性が確保できるとともに、雑虫の侵入、昆虫の脱走を防ぐことができる。特に隙間を隙間取り用縦リブと隙間取り用水平リブとで形成してあるので、透明ドームと底部トレーの間の間隙が小さくとも、通気面積を大きくとることができ、酸欠により昆虫が死亡するようなことがない。また、透明ドームには、フレームや尖った角部やレイアウト備品を支持する部材がないので、上方あるいは斜め上方からの視認性も含め３６０°の視認性を確保することができ、高いインテリア性をもつ観賞兼用の昆虫飼育用容器を得ることができる。さらに、透明ドームには、レイアウト備品を支持する部材がないので、透明ドームを底部トレーから取り外して、その全体を容易に清掃することができ、メンテナンス性の向上が図れる。
【００２１】
請求項２の発明によれば、請求項１の発明において、側壁を形成する段部を、上側壁の下端と下側壁の上端を連接する水平又はほぼ水平に延びる水平壁から形成し、透明ドームの開口端面に複数の係合爪を間隔を置いて設けるとともに、水平壁に係合爪に対応して係合爪が貫通する複数の係合孔を穿設し、記各係合爪の先端に、水平壁の下面あるいは下側壁内周面に形成した係合部に係合する鉤部を形成したので、透明ドームと底部トレーの係合を確実に行うことができ、透明ドームと底部トレーが不用意に外れることがない。
【００２２】
請求項３の発明によれば、請求項１または２の発明において、下側壁を底部トレーの底板より下方に突出するように延在させて、底板と下側壁によって収納凹部を形成するとともに、透明ドームの頂部を収納凹部の径より小さく形成し、かつ、収納凹部に、透明ドームの頂部側を受け入れる積み重ね用リブを放射状に間隔をおいて複数設けたので、昆虫飼育用容器を積み重ねたとき、積み重ね時のずれがなくなり、積み重ねが安定し、多数の昆虫飼育用容器を積み重ねることができ、省スペース化を図ることができる。また、複数の昆虫飼育用容器にそれぞれ異なる昆虫やレイアウト備品を収納して積み重ねることによって、コンパクトにインテリア性の高いものを構成できる。
【００２３】
請求項４の発明によれば、請求項１〜３のいずれかの発明において、底部トレーの底板に木や造花等のレイアウト備品を固定するための締結手段止め用の肉薄部を複数設けるようにしたので、レイアウト備品を昆虫飼育用容器内に収納するとき、底板に設けた肉薄部のうち、レイアウト備品に必要な肉薄部のみを破って孔を開け、レイアウト備品を締結部材によって固定すればよく、透明ドームや底部トレーに不必要な孔が存在しないので、レイアウト備品を収納できる構造であっても、害虫が侵入したり、昆虫が逃走したりすることがない。また、肉薄部が複数設けられているので、レイアウト備品の固定の自由度を高め、インテリア性の向上を図ることができる。
【００２４】
請求項５の発明によれば、請求項１〜４のいずれかの発明において、透明ドームの頂部を下にして載置したとき、透明ドームが自立できるように透明ドームの頂部をほぼ平坦な形状に構成し、透明ドームを自立して用いるとき、透明ドームの内部に昆虫飼育マット及び／又は菌床を詰めるようにしたので、昆虫飼育用容器をクワガタムシ等の幼虫飼育専用の容器として使用することができる。
【発明を実施するための最良の形態】
【００２５】
以下、本発明の昆虫飼育用容器の実施の形態を、図１乃至７に基づいて説明する。図1は、本発明の昆虫飼育用容器の分解斜視図であり、図２は、昆虫飼育用容器を組み立てた時のＡ−Ａ組立断面図である。図３は、昆虫飼育用容器を組み立てた時のＢ−Ｂ要部部分断面図であり、図4は、そのＣ−Ｃ要部部分断面図である。図５は、昆虫飼育用容器の底部トレーの上面図であり、図６は、底部トレーの底面図である。図７は、昆虫飼育用容器を幼虫飼育専用容器として使用するときの断面図である。
【００２６】
本発明の昆虫飼育用容器は、図１、２に示すように、一端が開口した弾性のあるプラスチック製の透明ドームＤと、プラスチック製の底部トレーＴの２つのパーツから構成されており、透明ドームＤの開口５側が底部トレーＴの側壁に係合するようになっている。なお、透明ドームＤの透明性は、完全に透明でなくとも、透明ドームＤ内の収納物、特に小型昆虫を視認できる程度のものであればよく、着色を施したものであってもよい。また、底部トレーＴも、透明なプラスチックから構成するとよい。
【００２７】
透明ドームＤは、図１、２に示すように、側壁１と、頂部２と、側壁１と頂部２を結ぶ湾曲部３とを有し、容器状に形成されている。この透明ドームＤは、弾性のある薄い透明なプラスチックから一体に形成され、側壁１や頂部２や湾曲部３はすべて無孔とされ、しかも、尖った角部のない構造とされている。また、透明ドームの側壁１は、図に示すように頂部２から開口５側に向かって徐々に径が大きくなる円筒状の傾斜壁とされている。頂部２は、この実施の形態では、透明ドームＤを倒立して使用できるように、ほぼ平坦面に形成されている。さらに、頂部２の径は、昆虫飼育用容器を積み重ねて使用できるように、頂部２側が後述する底部トレーＴに設けた積み重ね用リブ２０，２０・・・に受け入れられる大きさとされている。なお、図において、符号１ａは側壁１の内周面、１ｂはその外周面を示す。
【００２８】
図１に示すように、透明ドームＤの開口端面４には、後述する底部トレーＴに穿設された係合孔１５，１５を貫通する一対の係合爪６，６が相対向して設けられている。係合爪６，６の先端には、外方に向かってほぼ水平にわずかに突出する鉤部６ａ，６ａが形成されている。鉤部６ａ，６ａの底部は、面取りされた傾斜面６ｂ，６ｂとして形成されている。係合爪６，６や鉤部６ａ，６ａは、透明ドームＤと一体にプラスチック成形されている。
【００２９】
底部トレーＴは、図１、２、５、６に示すように、底板７と、底板７の外周に設けた側壁とからなる。この底板７と側壁は、プラスチックから一体に成形されており、好ましくは、透明プラスチックが用いられる。側壁は、底板７の上方に向けて突出し、透明ドームＤの開口５側の内周面1ａより小さい径を有する上側壁８と、底板７の下方に向けて突出し、上側壁８の外周面８ｂより大きい径を有する下側壁９と、上側壁８の下端と下側壁９の上端を結ぶ水平あるいはほぼ水平に延びる水平壁１０とから構成されている。
【００３０】
上側壁８の外周面８ｂは、透明ドームＤの側壁１の内周面1ａの形状に合わせた形状とされており、上方から下方に向けて徐々に径の大きくなる傾斜面とされている。下側壁９は、昆虫飼育用容器を載置するときの脚としても機能し、下方に向けて径の大きくなるテーパ状とするのがよい。また、上側壁８と水平壁１０との角部及び下側壁９と水平壁１０との角部は、好ましくは、Ｒ状に面取りされている。底部トレーＴの底板７の上側には、上側壁の内周面８ａと底板の上面７ａとで囲まれる上部収納凹部１８が形成され、昆虫やレイアウト備品を載置できるようになっている。底板７の下側には、主に下側壁の内周面９ａと底板の下面７ｂによって囲まれる収納凹部２０が形成され、後述するように、透明ドームＤの頂部２側を受け入れるようになっている。なお、図において符号９ｂは下側壁９の外周面を示す。
【００３１】
上側壁の外周面８ｂには、隙間取り用縦リブ１１，１１・・・（以下、「隙間取り用縦リブ１１」という）が間隔をあけて複数設けられている。この実施の形態では、隙間取り用縦リブ１１は、上側壁の外周面８ｂの上部から下部にかけて延在し、等間隔に６個設けられている。隙間取り用縦リブ１１が上側壁の外周面８ｂから突出する高さは、透明ドームＤと底部トレーＴを結合して組み立てたとき、透明ドームＤの内周面１ａと底部トレーＴの上側壁８の外周面８ｂとの間に、通気を確保できるとともに、コバエ等の害虫が侵入しない程度の縦方向隙間１３，１３・・・（以下、「縦方向隙間１３」という）が形成される大きさとされている。また、隙間取り用縦リブ１１の幅は、前記隙間取り用リブ１１の高さとほぼ同寸法とされている。具体的には、前記隙間取り用縦リブ１１の突出高さは０．１〜０．５ｍｍ程度であり、好ましくは、０．３ｍｍ程度とするのがよい。０．１ｍｍ未満では、十分な通気が確保できず、０．５ｍｍを越えると害虫が侵入するおそれがある。また、隙間取り用縦リブ１１の断面形状は、適宜の形状とすることができるが、ほぼ半円状とするのがよい。なお、図面には、説明上、上側壁８と別体の隙間取り用縦リブ１１が示されているが、通常、隙間取り用縦リブ１１は上側壁８と一体にプラスチック成形される。
【００３２】
透明ドームＤの開口５端側の内周面１ａの径は、この隙間取り用縦リブ１１を含めた上側壁の外周面８ｂの径とほぼ同じか、あるいは、やや小さい径とされている。やや小さい径にすれば、透明命ドームＤと底部トレーＴを組み立てたとき、透明ドームＤの弾性によって、透明ドームＤの内周面1ａと上側壁の外周面８ｂが摩擦係合するようになる。
【００３３】
水平壁の上面１０ａには、隙間取り用水平リブ１２、１２・・・（以下、「隙間取り用水平リブ１２」という）が間隔をあけて複数設けられている。この実施の形態では、隙間取り用水平リブ１２は、周方向に沿って、等間隔で４個設けられている。この４個の隙間取り用リブ１２のうち後述する係合孔１５，１５と同位置にあるものは、係合孔１５，１５によって２分割されている。隙間取り用水平リブ１２が水平壁の上面１０ａから突出する高さは、透明ドームＤと底部トレーＴを結合して組み立てたとき、透明ドームＤの開口端面４と水平壁の上面１０ａとの間に通気を確保できるとともに、コバエ等の害虫が侵入しない程度の水平方向隙間１４，１４・・・（以下、「水平方向隙間１４」という）が形成される大きさとされている。具体的には、隙間取り用水平リブ１２の高さは、隙間取り用縦リブ１１と同様、０．１〜０．５ｍｍ程度であり、好ましくは、０．３ｍｍ程度とするのがよい。隙間取り用水平リブ１２の周方向の長さ及び径方向の幅は、適宜の寸法とすることができる。この実施の形態では、周方向の長さが約２０ｍｍ程度、径方向の幅が約２ｍｍ程度とされている。なお、図面には、説明上、水平壁１０と別体の隙間取り用水平リブ１１が示されているが、通常、隙間取り用水平リブ１１は水平壁１０と一体にプラスチック成形される。
【００３４】
図４に示すように、透明ドームＤと底部トレーＴを組み立てたとき、この縦方向隙間１３と水平方向隙間１４によって、透明ドームＤ内は外部と連通する。これら隙間１３，１４によって、透明ドームＤ内の通気が確保されるとともに、透明ドームＤ内にコバエ等の害虫が侵入するのを防止される。
【００３５】
図３、５に示すように、水平壁１０は、上側壁８と下側壁９との間に段部を形成している。この水平壁１０には、前述した係合爪６，６に対応して一対の係合孔１５，１５が水平壁１０の周方向に沿って穿設されている。係合孔の内周面１５ａ，１５ａと外周面１５ｂ，１５ｂの間隔は、鉤部を６ａ，６ａを形成した係合爪６，６が余裕をもって通過できる間隔とされている。係合孔１５，１５は、係合孔の外周面１５ｂ，１５ｂが係合爪の鉤部６ａ，６ａの外周面よりもわずかに内側に位置するように配置されている。
【００３６】
水平壁１０に穿設した係合孔１５，１５に対応する下側壁の内周面９ａには、係合凹部１６，１６が設けられている。係合凹部１６，１６の幅は、係合孔１５，１５の周方向の長さにほぼ等しく、その深さは、係合爪の鉤部６ａ，６ａの上端が係合凹部１６，１６の上端に係合できるような大きさとされている。すなわち、係合凹部１６，１６の上端は、係合爪の鉤部６ａ，６ａの上端が係合する係合用段部１６ａ，１６ａを構成している。この実施の形態では、係合凹部１６，１６は、下側壁９の下端から上方に向けて下側壁９の内周面を切り欠いた形状とされている。なお、係合用段部１６ａ，１６ａは水平側壁１０の下面１０ｂに形成することもできる。
【００３７】
底部トレーＴの底板７には、レイアウト備品を底部トレーＴに固定するネジやボルト等の締結手段用の孔を形成するための肉薄部１７、１７・・・(以下、「肉薄部１７」という）が複数設けられている。この実施の形態では、底板７の中央部とその周囲に等間隔に４個の肉薄部１７が設けられている。肉薄部１７は、底板７の上面７ａと下面７ｂとに相対向する凹部を形成することによって構成されている。肉薄部１７は適宜の形状とすることができるが、好ましくは、図５、６に示すように円形とするのがよい。また、肉薄部１７の厚さは、レイアウト備品を固定するとき、容易に破けて、締結手段固定用の孔が形成できる厚さ、例えば、木ネジ等でレイアウト部品を固定するとき、木ネジ等によって簡単に孔があく厚さとされている。さらに、肉薄部１７毎に径が異なるようにすれば、多種多様のレイアウト備品に対応することができ、さらにインテリア性を向上させることができる。また、肉薄部１７の周囲に、レイアウト備品を案内したり、位置決めを行う適宜の案内部、例えば短い筒状の案内部を設ければ、レイアウト備品の設置が容易になる。
【００３８】
図１、２，６に示すように、底部トレーＴの下部収納凹部１９には、透明ドームＤの頂部２側を受け入れる積み重ね用リブ２０，２０・・・（以下、「積み重ね用リブ２０」という）が下側壁の内周面９ａから底板７の中心に向かって放射状に複数設けられている。この実施の形態では、等間隔に４つの積み重ね用リブ２０が設けられている。この積み重ね用リブ２０は、適宜の厚さの板状部材から構成されている。積み重ね用リブ２０の長さは、底板７に設けた肉薄部１７に干渉しない長さとされている。
【００３９】
この積み重ね用リブ２０は、水平部２０ａと垂直部２０ｂとからなる。水平部の上面は、底板７の下面７ｂに当接し、垂直部の外側面２０は、下側壁の内周面９ａに当接している。また、水平部２０ａと垂直部２０ｂがなす角部外面は、ほぼＬ字上の切欠部とされ、その切欠部は、上側壁の内周面８ａ、水平側壁の下面１０ｂ、下側壁の内周面９ａに当接している。水平部２０ａの下面と垂直部２０ｂの内側面は、透明ドームＤの頂部２側を受け入れることができるように、透明ドームＤの頂部２側の形状に合わせた形状とされている。すなわち、水平部２０ａの下面には、その内端から外端に向けて平端部が形成されるとともに、その平端部から垂直部２０ｂの内側面にかけて透明ドームＤの湾曲部３に対応した湾曲部が形成されている。積み重ね用リブ２０に形成した平坦部や湾曲部は、透明ドームＤの頂部２側を受け入れる受入れ部を形成している。なお、図には、説明上、底部トレーＴと別体の積み重ね用リブ２０が示されているが、通常、積み重ね用リブ２０は、底部トレーＴと一体にプラスチック成形される。
【００４０】
このように構成された昆虫飼育用容器は、次のように使用される。昆虫飼育用容器内にレイアウト備品を収納するときは、収納されるレイアウト備品に対応する底部トレーＴの底板７に形成した肉薄部１７を必要個数破って孔を形成し、底板７の下面からネジやボルト等の締結手段を該孔に挿入あるいはねじ込んで、底板７の上面にレイアウト備品を固定したり、上部収納部１８にレイアウト部品を非固定的に載置する。次いで、上部収納部１８に昆虫を載置し、透明ドームＤを底部トレーＴに被せ、透明ドームＤの開口端面４が、底部トレーＴの水平壁１０に設けた隙間取り用水平リブ１２の上面に当接するまで押し込む。
【００４１】
透明ドームＤを押し込むとき、まず、透明ドームＤに設けた係合爪６，６に形成した鉤部の傾斜面６ｂ，６ｂが係合孔の外周面１５ｂ，１５ｂに当接するようになる。さらに押し込むと、鉤部の傾斜面６ｂ，６ｂが係合孔の外周面１５ｂ、１５ｂを摺接しながら押し込まれるので、係合爪６，６は、その弾性によって内方に変形しながら、係合孔１５，１５を通る。鉤部６ａ，６ｂが係合孔１５，１５を通過すると、係合爪６，６は、その弾性によって元の状態に戻る。これによって、係合爪の鉤部６ａ，６ａの上端が下側壁９に形成された係合用段部１６ａ，１６ａに係合し、透明ドームＤと底部トレーＴとの抜け止めを防止する。
【００４２】
透明ドームＤを清掃したり、昆虫やレイアウト備品を交換する等、透明ドームＤを底部トレーＴから取り外す必要があるときは、透明ドームＤに設けた係合爪６，６が位置する透明ドームＤの側壁１の相対向する部分を押圧しながら引き抜く。この操作によって、係合爪の鉤部６ａ，６ａが下側壁９に形成した係合段部１６ａ，１６ａから外れるので、係合爪６，６を係合孔１５，１５から容易に引き抜くことができる。
【００４３】
このように組み立てられる昆虫飼育用容器を上下に積み重ねて載置するときは、一方の昆虫飼育用容器の透明ドームＤの頂部２側を他方の昆虫飼育用容器の底部トレーＴに設けた積み重ね用リブ２０が受け入れるように他方の昆虫飼育用容器を一方の飼育容器上に載置する。さらに多段に積み重ねるときは、同様にして、第３、第４の昆虫飼育用容器を積み重ねていけばよい。
【００４４】
昆虫飼育用容器をクワガタムシ等の幼虫の飼育に使用するときは、透明ドームＤの頂部２が下にくるように倒立して載置し、その透明ドームＤ内に飼育マットや菌床や園芸用水ゴケＭ等を詰めてから、幼虫を入れ、透明ドームＤの開口５側に底部トレーＴの上側壁８を係合させて、組み立てる。
【００４５】
このように構成された本発明の実施の形態によれば、次のような作用効果を奏する。透明ドームＤは、無孔で、かつ、フレームや尖った角部やレイアウト備品を支持する部材がない構成とされているので、上方あるいは斜め上方からの視認性も含め３６０°の視認性を確保することができ、特に、小型昆虫を飼育してもその観察、視認性が損なわれることがなく、インテリア性の高い昆虫飼育用容器を得ることができる。また、昆虫飼育用容器内に、多種多様な色彩の昆虫類や各種のレイアウト備品を収納して、さらにインテリア性の高い観賞兼用の昆虫飼育用容器を得ることができる。さらに、透明ドームＤには、レイアウト備品を支持する部材がないので、透明ドームＤを底部トレーＴから取り外すだけで、透明ドームＤ全体を容易に清掃することができ、メンテナンス性の向上が図れる。
【００４６】
透明ドームＤと底部トレーＴに組み立てたとき、透明ドームＤの内周面１ａと底部トレーＴの上側壁８の外周面８ｂとの間に縦方向隙間１３と、透明ドームＤの開口端面５と底部トレーＴの水平壁１０の上面１０ａとの間に水平方向隙間１４が形成される。これら隙間１３，１４は、その間隙が０．１〜０．５ｍｍ、好ましくは０．３ｍｍであるので、透明ドームＤ内の通気を確保できるとともに、コバエ等の害虫が透明ドームＤ内に侵入するのを防止することができる。また、これら隙間１３，１４は、表面積の小さい隙間取り用縦リブ１１と隙間用水平リブ１２によって形成されているので、底部トレーＴの上側壁の外周面８ｂ及び水平壁の上面１０ａのほとんどの表面が通気路となる。したがって、透明ドームＤと底部トレーＴの間の間隙が小さくても、通気面積を大きくとることができ、酸欠により昆虫が死亡するようなことがない。また、透明ドームＤ内に害虫が侵入することがないので、清潔感のあるインテリア性の高い無孔通気構造の昆虫飼育用容器が得られる。
【００４７】
透明ドームＤと底部トレーＴに組み立てるとき、透明ドームＤの開口端面５に形成した係合爪６，６が底部トレーＴの水平壁１０に形成した係合孔１５，１５を貫通するとともに、係合爪６，６先端に形成した鉤部６ａ，６ａが下側壁９の内周面９ａに形成した係合段部１６ａ，１６ａに係合するようにしたので、透明ドームＤと底部トレーＴとが不用意に外れるのを確実に防止できる。また、係合孔１５，１５を貫通した係合爪６，６は、下側壁の内面側９ａに位置し、係合爪６，６が昆虫飼育用容器の表面に出ることがないので、インテリア性を損なうことがない。係合爪の鉤部６ａ，６ａと係合段部１６ａ，１６ａとの係合の解除は、透明ドームＤの弾性を利用して行うことができるので、透明ドームＤを底部トレーＴから容易に取り外すことができる。また、透明ドームＤの側壁１と底部トレーＴの上側壁の外周面８ｂは、ともに傾斜壁されているので、透明ドームＤの開口５側内周面１ａと上側面の外周面８ｂとの係合をスムーズに行うことができる。
【００４８】
透明ドームＤの頂部２側を底部トレーＴの裏面に形成した下部収納凹部１９より小さい径とし、かつ、該下部収納凹部１９に透明ドームＤの頂部２側の形状に合わせた受入れ部を有する積み重ね用リブ２０を複数設けたので、積み重ね用リブの昆虫飼育用容器を上下に積み重ねたとき、透明ドームＤの頂部２側の形状の如何にかかわらず、積み重ね時のずれをなくすことができる。したがって、積み重ねが安定し、多数の昆虫飼育用容器を積み重ねて載置することができ、省スペース化を図ることができる。また、複数の昆虫飼育用容器にそれぞれ異なる昆虫やレイアウト備品を収納して積み重ねれば、コンパクトにインテリア性の高いものを構成することができる。
【００４９】
底部トレーＴの底板７に木や造花等のレイアウト備品を固定するためのネジやボルト等の締結手段止め用の肉薄部１７を複数設けてあるので、レイアウト備品を透明ドームＤ内に収納するとき、底板７に設けた肉薄部１７のうち、レイアウト備品に必要な肉薄部１７のみを破って孔を開け、レイアウト備品を締結部材によって固定すればよいので、透明ドームＤや底部トレーＴに不必要な孔を設ける必要がなく、レイアウト備品を収納できる構造であっても、害虫が侵入したり、昆虫が逃走したりすることがない。また、肉薄部が複数設けられているので、レイアウト備品の固定の自由度を高め、インテリア性の向上を図ることができる。
【００５０】
また、図７に示すように、透明ドームＤの頂部２を平坦にして、昆虫飼育用容器を倒立させて使用できるようにしたので、透明ドームに傷がついたり、汚れたりして透明性を欠いて観賞用容器として使用できなくなったときでも、昆虫飼育用容器を透明ドームＤが下になるよう倒立させ、この透明ドームＤの中に昆虫飼育マットや菌床やミズゴケＭ等を詰めてクワガタムシ等の幼虫飼育専用の容器として使用することができる。このように使用すれば、昆虫飼育用容器を長期にわたって使用することができる。
【００５１】
以上、本発明の実施の形態について説明したが、本発明は、上記実施の形態に限定されず種々の設計変更が可能であり、それらはいずれも本発明に含まれる。例えば、透明ドームＤの形状は、インテリア性のある種々の形状とすることができる。例えば、透明ドームＤの頂部２は、倒立して使用しない場合には、平坦である必要はない。また、透明ドームの側壁１や底部トレーＴの上側壁８を傾斜のない構成としてもよい。
【００５２】
隙間取り用縦リブ１１は、透明ドームＤの開口５側内周面１ａに設けるようにしてもよい。同様に、隙間取り用水平リブ１２は、透明ドームＤの開口端面４に設けるようにしてもよい。
【００５３】
また、係合爪６，６や係合穴１５，１５を設けない構成としてもよい。この場合、透明ドームＤの開口５側の内周面１ａと上側壁８の外周面８ｂが摩擦係合するようにして、透明ドームＤと底部トレーＴとが不必要に外れないようにするとよい。また、係合爪６や係合孔を設けない構成にした場合、底部トレーＴに必ずしも水平壁１０を設ける必要はなく、上側壁８と下側壁９との間に、隙間取り用水平リブ１２を設けることのできる段部を構成するだけでもよい。
【００５４】
底部トレーＴの底板７は、実施の形態のように、必ずしも底部トレーＴの側壁の中間に設ける必要はなく、昆虫飼育用容器を積み重ねて使用しない構成とする場合には、下側壁９の下端に設けるようにしてもよい。この場合、積み重ね用リブ２０が必要ないことはもちろんである。
【図面の簡単な説明】
【００５５】
【図１】本発明の昆虫飼育用容器の分解斜視図。
【図２】本発明の昆虫飼育用容器を組み立てたときのＡ−Ａ断面図。
【図３】本発明の昆虫飼育用容器の組み立てたときのＢ−Ｂ拡大部分断面図。
【図４】本発明の昆虫飼育用容器の組み立てたときのＣ−Ｃ拡大部分断面図。
【図５】本発明の底部トレーの上面図。
【図６】本発明の底部トレーの底面図。
【図７】本発明の昆虫飼育用容器を幼虫専用容器として使用するときの組み立てＡ−            Ａ断面図。
【図８】従来の昆虫飼育用容器の分解斜視図。
【符号の説明】
【００５６】
Ｄ              透明ドーム
Ｔ              底部トレー
Ｍ              飼育マットまたは菌糸
１              透明ドームの側壁
２              透明ドームの頂部
３              透明ドームのＲ部
４              透明ドームの開口端面
５              透明ドームの開口部
６              係合爪
７              底部トレーの底板
８              底部トレーの上側壁
９              底部トレーの下側壁
１０              底部トレーの水平壁
１１              隙間取り用縦リブ
１２              隙間取り用水平リブ
１３              縦方向隙間
１４              水平方向隙間
１５              係合孔
１６              係合凹部
１７              締結手段止め用肉薄部
１８              収納凹部
１９              積み重ね用リブ
【図１】
2007053901.tif 000003
【図２】
2007053901.tif 000004
【図３】
2007053901.tif 000005
【図４】
2007053901.tif 000006
【図５】
2007053901.tif 000007
【図６】
2007053901.tif 000008
【図７】
2007053901.tif 000009
【図８】
2007053901.tif 000010